(57)【特許請求の範囲】
【請求項１】
スイッチボタンの両側に押下操作方向とは交差する方向へ突出した第１及び第２の取付片を有し、
前記スイッチボタンを保持するケースの一側に、前記第１の取付片を挿入して取り付け係止させる係止受部を有し、
前記ケースの他側に、前記第２の取付片が収容される収容受部と、前記第２の取付片の抜けを防止する抜け防止部材が挿入される挿入受部とを有し、
前記挿入受部と前記抜け防止部材の一方に、前記抜け防止部材を挿入案内する案内部を有するとともに、前記挿入受部と前記抜け防止部材の他方に、前記案内部を弾性的に取り付け係合する係合部を有し、
前記案内部と前記係合部は、前記抜け防止部材の挿入方向とは交差する方向に弾性的に取り付け係合され、前記抜け防止部材の裏面に前記第２の取付片が押さえられて係合することを特徴とするスイッチボタン取付構造。
【請求項２】
前記収容受部と前記挿入受部は、前記抜け防止部材を前記ケースの上面に支持する支持面に形成された孔部からなり、
前記案内部は、前記抜け防止部材の裏面に突出して形成され、前記挿入受部の前記孔部内を案内する案内片からなり、
前記係合部は、前記挿入受部の前記孔部内に形成され、前記案内片に形成された係合孔に弾性的に係合する弾性係合片からなることを特徴とする請求項１記載のスイッチボタン取付構造。
【請求項３】
前記係止受部は、前記ケースのスイッチ連結側端部に形成された孔部からなることを特徴とする請求項１記載のスイッチボタン取付構造。
【請求項４】
前記抜け防止部材は、前記ケースを装飾する装飾部材であることを特徴とする請求項１又は２記載のスイッチボタン取付構造。
【発明の詳細な説明】
【技術分野】
【０００１】
本発明は、例えば各種の電子機器に備えられる押しボタン式のスイッチボタン取付構造に関する。
【背景技術】
【０００２】
複数の部材の取付けに弾性変形を利用するスナップフィット構造がある。この種のスナップフィット構造の一例としては、押下操作可能なスイッチボタンであるスイッチカバーをケースにスナップフィットさせた構造を備えた電子装置が提案されている（例えば、特許文献１参照。）。
【０００３】
上記特許文献１に記載された従来のスナップフィット構造にあっては、スイッチカバーの裏面から立設された脚片の自由端には係止部が形成されており、相手方のケースのスイッチ嵌合穴に形成された両端固定梁には、スイッチカバーの係止部に弾発係止する突部が突出して形成されている。このケースのスイッチ嵌合穴にスイッチカバーを嵌め込み押し付けて、スイッチカバーの係止部をケースの突部にスナップフィットさせることで、ケースに対するスイッチカバーの抜け止めがなされる。
【先行技術文献】
【特許文献】
【０００４】
【特許文献１】特開２００８−１１１５１６号公報
【発明の概要】
【発明が解決しようとする課題】
【０００５】
上記特許文献１記載の従来のスナップフィット構造は、スイッチカバーが押下操作されるケースのスイッチ嵌合穴にスイッチカバーをスナップフィットさせることで、スイッチカバーを抜け止めするものである。そのため、スイッチカバーとケースの組み付け時においてスイッチカバーの脚片やケースの突部に作用する応力に耐え得る強度が必要となり、スイッチ嵌合穴にスナップフィットさせるための許容範囲を確保する必要がある。その結果、スイッチカバーの脚片やケースの突部の長さや厚みなどが制限され、ケースのスイッチ嵌合穴の内部形状や内部構造に制約が生じるので、設計の自由度が低い。
【０００６】
本発明の目的は、形状や構造に制約を受けることなく、スイッチボタンの抜け止めが確保できる簡単な構造を備えたスイッチボタン取付構造を提供することにある。
【課題を解決するための手段】
【０００７】
［１］本発明は、スイッチボタンの両側に押下操作方向とは交差する方向へ突出した第１及び第２の取付片を有し、前記スイッチボタンを保持するケースの一側に、前記第１の取付片を挿入して取り付け係止させる係止受部を有し、前記ケースの他側に、前記第２の取付片が収容される収容受部と、前記第２の取付片の抜けを防止する抜け防止部材が挿入される挿入受部とを有し、前記挿入受部と前記抜け防止部材の一方に、前記抜け防止部材を挿入案内する案内部を有するとともに、前記挿入受部と前記抜け防止部材の他方に、前記案内部を弾性的に取り付け係合する係合部を有し、前記案内部と前記係合部は、前記抜け防止部材の挿入方向とは交差する方向に弾性的に取り付け係合され、前記抜け防止部材の裏面に前記第２の取付片が押さえられて係合することを特徴とするスイッチボタン取付構造にある。
【０００９】
［２］上記［１］記載のスイッチボタン取付構造としては、前記収容受部と前記挿入受部は、前記抜け防止部材を前記ケースの上面に支持する支持面に形成された孔部からなり、前記案内部は、前記抜け防止部材の裏面に突出して形成され、前記挿入受部の前記孔部内を案内する案内片からなり、前記係合部は、前記挿入受部の前記孔部内に形成され、前記案内片に形成された係合孔に弾性的に係合する弾性係合片からなることが好適である。
【００１０】
［３］上記［１］記載のスイッチボタン取付構造としては、前記係止受部は、前記ケースのスイッチ連結側端部に形成された孔部からなることが好適である。
【００１１】
［４］上記［１］又は［２］記載のスイッチボタン取付構造としては、前記抜け防止部材は、前記ケースを装飾する装飾部材であることが好適である。
【発明の効果】
【００１２】
本発明のスイッチボタン取付構造は、抜け防止部材の組み付け時に、抜け防止部材がスイッチボタンに加わる応力を防止するように作用するとともに、スイッチボタンの抜けを防止する。
【図面の簡単な説明】
【００１３】
【図１】本発明の好適な実施の形態であるスイッチボタン取付構造を備えた携帯機を概略的に示す分解斜視図である。
【図２】図１の携帯機における内部構造の一部を省略して模式的に示す要部断面図である。
【図３】（ａ）は本発明のスイッチボタン取付構造を備えたケースを模式的に示す図であり、（ｂ）は（ａ）のＩＩＩｂ−ＩＩＩｂ線の矢視断面拡大図である。
【図４】（ａ）〜（ｃ）はスイッチボタンの取付手順の一例を説明するための図である。
【図５】（ａ）及び（ｂ）は、図４のスイッチボタン取付手順によりスイッチボタンが抜け止めされるときの状態を説明するための図である。
【発明を実施するための形態】
【００１４】
以下、本発明の好適な実施の形態を添付図面に基づいて具体的に説明する。
【００１５】
（携帯機の全体構成）
図１及び図２において、全体を示す符号１は、例えば車両に配置された施錠装置を電気的に施錠制御又は解錠制御する制御装置を無線通信により遠隔操作する携帯機を模式的に示している。この携帯機１は、上ケース２と下ケース３とを備えている。この上ケース２と下ケース３とをＬ字状の把持部材４を介して突き合わせた状態に組み付けることで、上ケース２のフック２ａと下ケース３のフック孔３ａとからなるフック結合部で取付固定され、一方向に長いケース本体が構成される。
【００１６】
この上ケース２の上面には、図１及び図２に示すように、３つのスイッチボタン５，５，５が設けられている。上ケース２と下ケース３との側壁に開口する部品収容空間６ａには、車両の施錠装置を機械的に駆動して錠を施解錠するための板状のメカニカルキー７が設けられている。この上ケース２、下ケース３、及びスイッチボタン５は、例えばＡＢＳやＰＣ等の樹脂材料で形成されている。把持部材４は、例えば亜鉛ダイカスト等の金属材料からなり、メカニカルキー７は、例えば洋白等の金属材料からなる。
【００１７】
意匠面側となる上ケース２の上面は、図１及び図２に示すように、２つの隔壁２ｂ，２ｂを介して３つのスイッチ収容空間６ｂ，６ｂ，６ｂに区画されている。このスイッチ収容空間６ｂには、シリコン材料等からなるクッション８を介してスイッチボタン５が押下操作可能に収容保持されている。
【００１８】
このスイッチボタン５の裏面中央部には、図１及び図２に示すように、回路基板１１に実装されたタクトスイッチ９を作動させる作動突部５ａが突出して形成されている。スイッチボタン５としては、特に限定されるものではないが、例えば車両のドアのロック・アンロックを行うためのロックボタン・アンロックボタン、及びラゲージドアのアンロック（オープン）を行うためのラゲージボタンなどがある。
【００１９】
この上ケース２のスイッチ収容空間６ｂの下方底部の一部には、図１〜図３に示すように、略Ｊ字形の支持面２ｇを有する段部が形成されている。この支持面２ｇの上部空間が装飾部材収容空間とされており、支持面２ｇには、上ケース２を装飾するための装飾部材３０が支持されている。この装飾部材３０は、例えば亜鉛ダイカストの金属材料等で形成されている。
【００２０】
この上ケース２に対する下ケース３には、図１及び図２に示すように、トランスポンダ１０が収容されるとともに、タクトスイッチ９、図示しない通信回路や制御回路などが実装された回路基板１１がシリコン材料等からなるパッキン１２を介して収容されている。この下ケース３には更に、ゴム材料等からなるＯリング１３を介して電池１４が収容されており、電池カバー１５により電池１４が保持されている。このトランスポンダ１０、回路基板１１、及び電池１４などの電子部品からなる通信手段は、下ケース３の下部に下カバー１６をフック結合部により固定することで覆われている。
【００２１】
このメカニカルキー７は、図１及び図２に示すように、ピン１７を介してロータ部材１８に保持固定される。このロータ部材１８は、下ケース３に立設された取付ボス３ｂにコイルスプリング１９を介して嵌め込まれる長い筒状のリリースボタン２０を回転中心として回転可能に設けられる。ロータ部材１８、及びリリースボタン２０の材質は、例えば亜鉛ダイカスト等の金属材料からなる。
【００２２】
そのロータ部材１８の上面には、図１に示すように、トーションバネ２１を介してインナケース２２がビス２３により締付固定される。インナケース２２の材質は、例えばＡＢＳやＰＣ等の樹脂材料からなる。
【００２３】
このリリースボタン２０の先端部は、図１に示すように、ロータ部材１８、トーションバネ２１、及びインナケース２２を介して、上ケース２の上面に貫通して形成された円形の貫通孔２ｃに突出して配される。下ケース３の取付ボス３ｂと対応する下面には、例えば樹脂材料等からなる円形の装飾キャップ２４が嵌め込まれる。
【００２４】
このトーションバネ２１は、図１に示すように、メカニカルキー７を下ケース３の内部から外側へ回転させて飛び出させるときにロータ部材１８に付勢力を付与するものであり、トーションバネ２１の両側のバネ端をロータ部材１８とインナーケース２２とにそれぞれ係止するようになっている。リリースボタン２０を押下げることで、ロータ部材１８とリリースボタン２０との係止状態が解除され、トーションバネ２１による付勢力によりロータ部材１８を回転させながら、メカニカルキー７が上下ケース２，３の部品収容空間６ａから外側へ飛び出すように構成されている。
【００２５】
（スイッチボタンの抜け止め構造）
上記のように構成された携帯機１に係る主要な基本の構成は、上ケース２に対してスイッチボタン５を抜け止めするための構造にある。従って、上記のように構成された携帯機１は、従来のものと基本的な構成において変わるところはない。よって、上記携帯機１の全体構成は、図示例に限定されるものではないことは勿論である。
【００２６】
この携帯機１の主要な構造の一つに、スイッチボタン５ではなく、上ケース２の内壁面の一部と装飾部材３０の裏面の一部とに、装飾部材３０の組み付け時においてスイッチボタン５の抜けを防止することを可能とした抜け止め構造がある。図示例にあっては、装飾部材３０が上ケース２に対してスイッチボタン５を抜け止めする抜け防止部材として効果的に用いられる。このため、図示例による携帯機１は、上ケース２、スイッチボタン５、及び装飾部材３０に主要な構成を有している。
【００２７】
このスイッチボタン５には、図１〜図３に示すように、上ケース２との連結側端縁から段差をもって両側一対のスイッチ取付片５ｂ，５ｂ（以下、取付片５ｂという。）が水平に突出して形成されている。一方、装飾部材３０の裏面には、長手方向に所定の間隔で、案内部となる一対の板状の案内片３１，３１がそれぞれ突設されている。この案内片３１には、上ケース２に取り付け係合される係合孔３１ａが形成されている。
【００２８】
この装飾部材３０の案内片３１は、図５に示すように、上ケース２に形成された弾性係合片２ｄを弾性変形させる摺動面となり、案内片３１の係合孔３１ａは、上ケース２の弾性係合片２ｄを弾性的に取り付け係合させる係合段部となる。
【００２９】
一方、上ケース２のスイッチ連結側端部のそれぞれには、図１〜図３に示すように、スイッチ収容空間６ｂを形成する壁面に開口する係止孔２ｅと、スイッチ収容空間６ｂを形成する底面に開口する収容孔２ｆとが穿孔されている。一方の係止孔２ｅは、スイッチボタン５の一方の取付片５ｂを挿入して取り付け係止するための係止受部となる。他方の収容孔２ｆは、スイッチボタン５の他方の取付片５ｂを収容するための収容受部となる。
【００３０】
この上ケース２の装飾部材支持用の支持面２ｇには、図１〜図３に示すように、２つの角孔２ｈ，２ｈが穿孔されている。この角孔２ｈは、装飾部材３０を案内する案内部となる案内片３１を挿入するための挿入受部となり、上ケース２の隔壁２ｂに対応する部位に配されている。この角孔２ｈの内部には、板状の弾性係合片２ｄが下方に向けて突出して形成されている。この弾性係合片２ｄは、装飾部材３０の案内片３１を弾性的に取り付け係合する係合部となり、その案内片３１の係合孔３１ａにスナップフィット状態で係合することで取付固定される。
【００３１】
この実施の形態に係るスイッチボタン５を取り付けるには、図４（ａ）に示すように、先ず、上ケース２の係止孔２ｅ内にスイッチボタン５の一方の取付片５ｂを挿入することで引っ掛けて係止させる。続いて、図４（ｂ）に示すように、スイッチボタン５の他方の取付片５ｂを上ケース２の収容孔２ｆ内に収容する。
【００３２】
次に、図４（ｃ）に示すように、上ケース２の支持面２ｇ内に装飾部材３０を収容する。このとき、図５（ａ）に示すように、上ケース２の角孔２ｈ内には装飾部材３０の案内片３１が挿入される。この角孔２ｈ内に形成された弾性係合片２ｄは、装飾部材３０の案内片３１の先端によって、装飾部材３０の挿入方向とは交差する外側に向けて弾性変形する。その案内片３１の先端は、上ケース２の弾性係合片２ｄの弾力に抗して角孔２ｈ内に誘導される。
【００３３】
これにより、上ケース２の弾性係合片２ｄの先端が、図５（ｂ）に示すように、装飾部材３０における案内片３１の係合孔３１ａを通過する。その後、弾性係合片２ｄが装飾部材３０の挿入方向とは交差する方向に弾性復帰し、その弾性係合片２ｄの先端は、案内片３１の係合孔３１ａの内周面に弾性的に取り付け係合する。装飾部材３０の裏面にスイッチボタン５の他方の取付片５ｂが押さえられて係合する。そして、スイッチボタン５が上ケース２のスイッチ収容空間６ｂ内に押下操作可能に保持される。
【００３４】
上記操作によれば、スイッチボタン５が上ケース２のスイッチ収容空間６ｂ内に収容された後、装飾部材３０の組み付け時において、装飾部材３０が上ケース２内にスナップフィット状態で取付固定される。この装飾部材３０とスイッチボタン５との係止状態において、装飾部材３０が、スイッチボタン５に加わる応力を防止するように作用するとともに、スイッチボタン５の抜けを防止するように作用する。
【００３５】
（実施の形態の効果）
以上のように構成されたスイッチボタン５の抜け止め構造によれば、上記効果に加えて、以下の効果が得られる。
【００３６】
図示例によるスイッチボタン５の抜け止め構造は、上ケース２の係止孔２ｅにスイッチボタン５の一方の取付片５ｂを引っ掛けて係止させるとともに、装飾部材３０を上ケース２内にスナップフィット状態で装着させることで、装飾部材３０の裏面にスイッチボタン５の他方の取付片５ｂを押さえる構成となっている。そのため、このスイッチボタン抜け止め構造は、強度と保形性に優れ、従来ではスイッチボタンの裏面から立設された脚片の自由端に係止爪等を形成する必要があったものを不要とする。
【００３７】
それに加えて、装飾部材３０の組み付け時においてスイッチボタン５に押し込み力が作用しないため、従来のスイッチボタンにおける脚片の基端及び係止爪等の長さや肉厚等を付与する補強部を不要とすることが可能になる。
【００３８】
上ケース２内にスイッチボタン５を装着した後に組み付ける装飾部材３０により、スイッチボタン５の抜け止めを効果的に行うことができる。そのため、スイッチボタン５や上ケース２の形状や構造などに制約を受けることなく、所要の取付強度が確保できる簡単な構造を備えたスイッチボタン５の取付構造が効果的に得られる。
【００３９】
［変形例］
以上より、本発明におけるスイッチボタン取付構造の代表的な構成例を実施の形態、及び図示例を挙げて説明したが、上記実施の形態、及び図示例は特許請求の範囲に係る発明を限定するものではない。本発明の技術思想の範囲内において種々の構成が可能であり、次に示すような変形例も可能である。
【００４０】
上記実施の形態、及び図示例では、自動車用キーレスエントリー送信機の携帯用リモコンに設置されるスイッチボタン取付構造として例示したが、これに限定されるものではない。本発明に係るスイッチボタン取付構造は、押下操作によりスイッチボタン５を作動させる押しボタン式のスイッチノブに適用できるものであり、例えばオーディオやヒーター等の各種の車載機器、住宅等で使用される家電機器、あるいはコンピュータやＯＡ機器等の電子機器などのケースに効果的に用いることができる。
【００４１】
上記実施の形態、及び図示例では、３つのスイッチボタン５の取付構造を例示したが、特に限定されるものではなく、例えば使用対称物や使用目的などに応じてスイッチボタン５の配置個数、配置位置や配置形状などを適宜に選択すればよく、本発明の初期の目的を達成することができる。
【００４２】
上記実施の形態、及び図示例では、上ケース２に弾性係合片２ｄを設けるとともに、装飾部材３０に案内片３１を設けるスイッチボタン取付構造として例示したが、これとは逆に、上ケース２に案内片３１を設けるとともに、装飾部材３０に弾性係合片２ｄを設ける構成であってもよい。
【００４３】
この案内片３１及び／又は弾性係合片２ｄを弾性変形させることができる構造であればよく、その案内片３１の係合孔３１ａである係合段部の構造等にあっても、特に限定されるものではない。この係合段部としては、例えば凹部や凸部などの段差部を有する各種の構造を使用することができる。
【００４４】
上記実施の形態、及び図示例では、スイッチボタン５の一側に装飾部材３０を装着する構成例を例示したが、これに限定されるものではなく、例えばスイッチボタン５の両側に装飾部材３０を装着する構成であってもよい。一方、押下操作方向とは交差する方向へ突出した一対の取付片５ｂを有するスイッチボタン５を例示したが、これに限定されるものではなく、例えばスイッチボタン５の上ケース連結側端縁の全周にフランジ状の取付片を有するものであってもよい。この場合は、上ケース２の係止孔２ｅを排除してもよく、上ケース２の装飾部材支持用の支持面２ｇがスイッチボタン５の上ケース連結側端縁の両側、あるいは全周に形成されることになる。
【００４５】
従って、スイッチボタン５の取付片５ｂの配置個数、配置位置や配置形状などにあっても、適宜に選択することができる。上ケース２の弾性係合片２ｄ、係止孔２ｅ、収容孔２ｆ、角孔２ｈ、及び支持面２ｇと、装飾部材３０の案内片３１、及び係合孔３１ａとにあっても、スイッチボタン取付構造として、形態、設置位置や設置個数等は特に限定されるものではなく、適宜に選択することができることは勿論である。
【００４６】
以上の説明からも明らかなように、上記実施の形態、変形例、及び図示例の中で説明した特徴の組合せの全てが本発明の課題を解決するための手段に必須であるとは限らない点に留意すべきである。
【符号の説明】
【００４７】
１…携帯機、２…上ケース、２ａ…フック、２ｂ…隔壁、２ｃ…貫通孔、２ｄ…弾性係合片、２ｅ…係止孔、２ｆ…収容孔、２ｇ…支持面、２ｈ…角孔、３…下ケース、３ａ…フック孔、３ｂ…取付ボス、４…把持部材、５…スイッチボタン、５ａ…作動突部、５ｂ…取付片、６ａ…部品収容空間、６ｂ…スイッチ収容空間、７…メカニカルキー、８…クッション、９…タクトスイッチ、１０…トランスポンダ、１１…回路基板、１２…パッキン、１３…Ｏリング、１４…電池、１５…電池カバー、１６…下カバー、１７…ピン、１８…ロータ部材、１９…コイルスプリング、２０…リリースボタン、２１…トーションバネ、２２…インナケース、２３…ビス、２４…装飾キャップ、３０…装飾部材、３１…案内片、３１ａ…係合孔
【図１】
0005639019.tif 000002
【図２】
0005639019.tif 000003
【図３】
0005639019.tif 000004
【図４】
0005639019.tif 000005
【図５】
0005639019.tif 000006